(57)【要約】【課題】部品コストを低減し得る簡易な構造の端子の逆挿入検知機能を有した防水コネクタを提供する。【解決手段】逆挿入防止用のスタビライザ３が突設された複数の端子１と、端子収容室１１とシールセット部１２を有したコネクタハウジング１０と、各端子および電線を圧入可能な複数の貫通孔２３を有し、端子を各端子収容室に挿入する前にコネクタハウジングのシールセット部に嵌め込まれ、その後から貫通孔を通して端子収容室に端子が挿入されることで、各端子の後方に延びる電線の外周に密着して、電線とコネクタハウジングとの間を止水する弾性材料製のマットシール２０とを具備する防水コネクタにおいて、マットシール２０の各貫通孔の内周のうち、端子および電線の圧入方向の前半部に電線シール部２５を設けると共に、後半部に、端子の逆挿入を防止する逆挿入検知部２４を設けた。【選択図】図１
2010027231.tif 000002
【特許請求の範囲】
【請求項１】
外周部に逆挿入防止用のスタビライザが突設された複数の端子と、各電線の先端に取り付けられた前記端子を後端より挿入可能な複数の端子収容室を有すると共に、後面にシールセット部を有したコネクタハウジングと、前記各端子および電線を圧入可能な複数の貫通孔を有し、前記端子を各端子収容室に挿入する前に前記コネクタハウジングのシールセット部に嵌め込まれ、その後から前記貫通孔を通して前記端子収容室に前記端子が挿入されることで、各端子の後方に延びる前記電線の外周に密着して、該電線と前記コネクタハウジングとの間を止水する弾性材料製のマットシールと、を具備した防水コネクタにおいて、
前記マットシールの厚み方向に貫通した前記各貫通孔の内周のうち、前記端子および電線の圧入方向の前半部に、前記電線の外周に密着して止水する電線シール部を設けると共に、後半部に、正規の向きで前記端子を挿入するときは前記スタビライザの通過を許し、不正規な向きで端子を挿入しようとするときは前記スタビライザの通過を阻止することで端子の逆挿入を防止する逆挿入検知部を設けたことを特徴とする防水コネクタ。
【請求項２】
請求項１に記載の防水コネクタであって、
前記逆挿入検知部に、前記貫通孔の内周の周方向の１箇所に、前記スタビライザの通過を許す溝が形成され、その溝の突き当たり壁またはその突き当たり壁に突き当たる前記スタビライザの前端の少なくとも一方に、前記スタビライザの通過を円滑にするための案内面が設けられていることを特徴とする防水コネクタ。
【発明の詳細な説明】
【技術分野】
【０００１】
本発明は、端子の逆挿入検知機能を有する防水コネクタに関するものである。
【背景技術】
【０００２】
従来、端子の逆挿入検知機能を有する防水コネクタとして、図４に示すように、複数の四角型の端子１０１と、これら端子１０１を収容するコネクタハウジング１１０と、コネクタハウジング１１０の後面に装着されるマットシール１２０と、マットシール１２０の後面に配置されるリヤホルダ１３０と、を備えたものが知られている（例えば、特許文献１参照）。
【０００３】
端子１０１は、四角筒状のボックス部１０２の外周部に逆挿入防止用のスタビライザ１０３を突設したもので、ボックス部２の後部に電線Ｗが加締められる。
【０００４】
コネクタハウジング１１０は、各電線の先端に取り付けられた端子１０１を後端より挿入可能な複数の端子収容室１１１を有すると共に、後面にマットシール１２０を嵌め込むためのシールセット部１１２を有している。
【０００５】
マットシール１２０は、ゴム等の弾性材料製の肉厚板１２１に、各端子１０１および電線を圧入可能な複数の貫通孔１２３を形成したもので、端子１０１を各端子収容室１１１に挿入する前に、コネクタハウジング１０１のシールセット部１１２に嵌め込まれる。そして、その後から貫通孔１２３を通して端子収容室１１１に端子１０１が挿入されることで、各端子１０１の後方に延びる電線の外周に密着して、電線とコネクタハウジング１１０との間を止水する機能を果たす。
【０００６】
リヤホルダ１３０は、このマットシール１２０の背後からコネクタハウジング１１０に装着されてロックされることで、マットシール１２０を脱落しないように止める役目を果たすと共に、端子１０１の逆挿入検知機能を果たす。
【０００７】
その逆挿入検知機能を果たすために、このリヤホルダ１３０には、マットシール１２０の背面に当接する板体１３１に、各端子１０１および電線が挿通するための複数の角形の貫通孔１３３が形成され、それら各貫通孔１３３の周囲に、正規の向きで端子１０１を挿入するときはスタビライザ１０３の通過を許し、不正規な向きで端子１０１を挿入しようとするときはスタビライザ１０３の通過を阻止して端子１０１の逆挿入を防止する逆挿入検知部１３６が設けられている。逆挿入検知部１３６は、正規の向きで挿入するときに、スタビライザ１０３を通過させる溝と、不正規の向きで挿入するときに、スタビライザ１０３が干渉する溝無し部とからなる。
【０００８】
この防水コネクタを組み立てる場合、まず、コネクタハウジング１１０のシールセット部１１２にマットシール１２０を嵌め込む。次いで、リヤホルダ１３０をマットシール１２０の背後から、コネクタハウジング１１０に装着しロックする。これによりマットシール１２０の脱落を防止することができる。その後、電線の先端に取り付けた端子１０１を、リヤホルダ１３０の貫通孔１３３を通して、コネクタハウジング１１０の端子収容室１１１に挿入し、端子収容室１１１の内部に保持させる。
【０００９】
その際、端子１０１のスタビライザ１０３の位置が逆挿入検知部１３６の溝と合致するときは、正規の向きであるとして、端子１０１を、リヤホルダ１３０の貫通孔１３３を通してコネクタハウジング１１０の端子収容室１１１まで完全に挿入できるが、スタビライザ１０３の位置が逆挿入検知部１３６の溝と合致しない向きで端子１０１を挿入しようとするときは、スタビライザ１０３がリヤホルダ１３０に干渉することで、端子１０１を挿入できなくなり、端子１０１の逆挿入が防される。
【００１０】
そして、端子１０１を端子収容室１１１に完全に挿入すると、マットシール１２０の貫通孔１２３の内周部が、端子１０１の後方へ延びる電線の外周に密着し、これにより、マットシール１２０によって、電線とコネクタハウジング１１０の間が止水される。
【特許文献１】特開２０００−８２５３０号公報
【発明の開示】
【発明が解決しようとする課題】
【００１１】
ところで、従来の防水コネクタでは、リヤホルダ１３０に逆挿入検知機能を持たせているので、マットシールの他に、逆挿入検知部１３６を備えたリヤホルダ１３０が必須であった。この場合、リヤホルダ１３０に逆挿入検知機能を持たせるには、端子１０１の数に対応した数の貫通孔１３３を形成する必要がある上に、各貫通孔１３３に逆挿入検知部１３６としての溝を形成しなければならず、構造が複雑化し、部品コストが嵩むという問題があった。
【００１２】
本発明は、上記事情を考慮し、部品コストを低減し得る簡易な構造の端子の逆挿入検知機能を有した防水コネクタを提供することを目的とする。
【課題を解決するための手段】
【００１３】
請求項１の発明は、外周部に逆挿入防止用のスタビライザが突設された複数の端子と、各電線の先端に取り付けられた前記端子を後端より挿入可能な複数の端子収容室を有すると共に、後面にシールセット部を有したコネクタハウジングと、前記各端子および電線を圧入可能な複数の貫通孔を有し、前記端子を各端子収容室に挿入する前に前記コネクタハウジングのシールセット部に嵌め込まれ、その後から前記貫通孔を通して前記端子収容室に前記端子が挿入されることで、各端子の後方に延びる前記電線の外周に密着して、該電線と前記コネクタハウジングとの間を止水する弾性材料製のマットシールと、を具備した防水コネクタにおいて、前記マットシールの厚み方向に貫通した前記各貫通孔の内周のうち、前記端子および電線の圧入方向の前半部に、前記電線の外周に密着して止水する電線シール部を設けると共に、後半部に、正規の向きで前記端子を挿入するときは前記スタビライザの通過を許し、不正規な向きで端子を挿入しようとするときは前記スタビライザの通過を阻止することで端子の逆挿入を防止する逆挿入検知部を設けたことを特徴とする。
【００１４】
請求項２の発明は、請求項１に記載の防水コネクタであって、前記逆挿入検知部に、前記貫通孔の内周の周方向の１箇所に、前記スタビライザの通過を許す溝が形成され、その溝の突き当たり壁またはその突き当たり壁に突き当たる前記スタビライザの前端の少なくとも一方に、前記スタビライザの通過を円滑にするための案内面が設けられていることを特徴とする。
【発明の効果】
【００１５】
請求項１の発明によれば、各電線の外周に密着して止水するマットシール自体に、端子の逆挿入を検知する部分（逆挿入検知部）を設けたので、リヤホルダに端子の逆挿入検知機能を持たせる必要がなくなる。そのため、マットシールを単体でコネクタハウジングに装着してリヤホルダを省略することができる。あるいは、リヤホルダを使用する場合であっても、リヤホルダに逆挿入検知機能を持たせる必要がないので、マットシールの脱落を止めるだけの簡単な構造のリヤホルダとすることができる。従って、部品コストを削減することができる。特にリヤホルダを省略する場合は、部品点数の減少によるコスト削減ばかりでなく、部品組付工数減を図ることができるので、組立作業性の向上も図れる。
【００１６】
請求項２の発明によれば、端子にスタビライザがあっても、正規の向きで端子を挿入する限り、スムーズに端子をコネクタハウジングの端子収容室まで挿入することができ、マットシールをスタビライザで傷つけることがない。
【発明を実施するための最良の形態】
【００１７】
以下、本発明の実施形態を図面を参照して説明する。
【００１８】
図１は実施形態の防水コネクタの分解斜視図、図２は同防水コネクタのマットシールの構成図で、図２（ａ）はマットシールの断面図、図２（ｂ）はマットシールの前面側の斜視図、（ｃ）はマットシールの後面側の斜視図、図３は同防水コネクタの組立状態の断面図である。
【００１９】
この防水コネクタは、外周部に逆挿入防止用のスタビライザ２が突設された複数の端子１と、各電線Ｗの先端に取り付けられた端子１を後端より挿入可能な複数の端子収容室１１を有すると共に、後面にシールセット部１２を有したコネクタハウジング１０と、コネクタハウジング１０のシールセット部１２に嵌め込まれるマットシール２０とを具備し、リヤホルダを省略したものである。
【００２０】
マットシール２０は、各端子１および電線を圧入可能な複数の貫通孔２３を有し、端子１を各端子収容室１１に挿入する前にコネクタハウジング１０のシールセット部１２に嵌め込まれ、その後から貫通孔２３を通して端子収容室１１に端子１が挿入されることで、各端子１の後方に延びる電線Ｗの外周に密着して、電線Ｗとコネクタハウジング１０との間を止水する機能を果たす。
【００２１】
端子１は、四角筒状のボックス部２の外周部に逆挿入防止用のスタビライザ３を突設したもので、ボックス部２の後部に電線Ｗが加締めるための導体加締部４および被覆加締部５を有する。
【００２２】
マットシール２０は、ゴム等の弾性材料製の肉厚板２１に、各端子１および電線Ｗを圧入可能な複数の四角い貫通孔２３を端子収容室１１に対応させて形成したもので、このマットシール２０に端子の逆挿入検知機能が付加されることで、リヤホルダが省略されている。
【００２３】
即ち、マットシール２０の厚み方向に貫通した各貫通孔２３には、その内周のうち、端子１および電線Ｗの圧入方向の前半部に、電線Ｗの外周に密着して止水する電線シール部２５が設けられると共に、端子１および電線Ｗの圧入方向の後半部に、正規の向きで端子１を挿入するときはスタビライザ３の通過を許し、不正規な向きで端子１を挿入しようとするときはスタビライザ３の通過を阻止することで端子１の逆挿入を防止する逆挿入検知部２４が設けられている。
【００２４】
電線シール部２５には、電線Ｗの被覆外周に密着するための内周リップ２５ａが設けられ、逆挿入検知部２４には、貫通孔２３の内周の周方向の１箇所にスタビライザ３の通過を許す溝２６が形成されている。逆挿入検知部２４は、正規の向きで挿入するときにスタビライザ３を通過させるこの溝２６と、不正規の向きで挿入するときにスタビライザ３が干渉する溝無し部とからなる。
【００２５】
また、その溝２６の内部の突き当たり壁には、スタビライザ３の通過を円滑にするための案内面（傾斜面）２６ａが設けられている。なお、溝２６の内部の突き当たり壁に突き当たるスタビライザ３側の前端に、同様にスタビライザ３の通過を円滑にするための案内面が設けられていてもよいし、溝２６側とスタビライザ３側の両方に案内面が設けられていてもよい。
【００２６】
また、マットシール２０の外周には、コネクタハウジング１０のシールセット部１２にマットシール２０を嵌め込んだ際に、コネクタハウジング１０側に密着して確実に止水するための外周リップ２２が設けられている。
【００２７】
この防水コネクタを組み立てる場合、まず、コネクタハウジング１０のシールセット部１２にマットシール２０を嵌め込む。その後、電線Ｗの先端に取り付けた端子１を、マットシール２０の貫通孔２３を通して、コネクタハウジング１０の端子収容室１１に挿入し、端子収容室１１の内部のランス１４により抜け止め固定する。
【００２８】
その端子１の挿入の際に、端子１のスタビライザ３の位置がマットシール２０の逆挿入検知部２４の溝２６と合致するときは、正規の向きであるとして、端子１を、マットシール２０の貫通孔２３を通してコネクタハウジング１０の端子収容室１１まで完全に挿入できるが、スタビライザ３の位置が逆挿入検知部２４の溝２６と合致しない向きで端子１を挿入しようとするときは、スタビライザ３がマットシール２０の壁に突き当たることで、端子１を挿入できなくなり、端子１の逆挿入が防される。
【００２９】
そして、端子１を端子収容室１１に完全に挿入すると、マットシール２０の貫通孔２３の電線シール部２５が、端子１の後方へ延びる電線Ｗの被覆の外周に密着し、これにより、マットシール２０によって、電線Ｗとコネクタハウジング１０の間が止水される。
【００３０】
以上のように、この実施形態の防水コネクタによれば、各電線Ｗの外周に密着して止水するマットシール２０自体に、端子１の逆挿入を検知する部分（逆挿入検知部２４）を設けているので、従来のようにリヤホルダに端子１の逆挿入検知機能を持たせる必要がなくなる。そのため、マットシールを単体でコネクタハウジング１０に装着してリヤホルダを省略することができる。そのため、部品点数の減少によりコスト削減が図れると共に、部品組付工数が減ることにより、組立作業性の向上も図れる。
【００３１】
また、逆挿入検知部２４の溝３６の突き当たり壁に案内面２６ａを設けているので、端子１にスタビライザ３があっても、正規の向きで端子１を挿入する限り、スムーズに端子１をコネクタハウジング１０の端子収容室１１まで挿入することができ、マットシール２０をスタビライザ３で傷つけることもない。
【００３２】
なお、マットシール２０の脱落止めやマットシール２０に加圧力（密着性増加の目的で）を加えるために、簡単な構造のリヤホルダをコネクタハウジング１０の後部に装着してもよい。その場合も、リヤホルダには逆挿入検知機能を持たせる必要がないので、マットシール２０の脱落を止めるだけの簡単な枠状の構造のリヤホルダとするだけでよく、部品製作コストはかからない。
【図面の簡単な説明】
【００３３】
【図１】本発明の実施形態の防水コネクタの分解斜視図である。
【図２】同防水コネクタのマットシールの構成図で、（ａ）はマットシールの断面図、（ｂ）はマットシールの前面側の斜視図、（ｃ）はマットシールの後面側の斜視図である。
【図３】実施形態の防水コネクタの組立状態の断面図である。
【図４】従来の防水コネクタの分解斜視図である。
【符号の説明】
【００３４】
１  端子
３  スタビライザ
１０  コネクタハウジング
１１  端子収容室
１２  シールセット部
２０  マットシール
２３  貫通孔
２４  逆挿入検知部
２５  電線シール部
２６  溝
２６ａ  案内面
Ｗ  電線
【図１】
2010027231.tif 000003
【図２】
2010027231.tif 000004
【図３】
2010027231.tif 000005
【図４】
2010027231.tif 000006